【誤訳訂正書】
【提出日】令和1年7月16日(2019.7.16)
【誤訳訂正１】
【訂正対象書類名】特許請求の範囲
【訂正対象項目名】全文
【訂正方法】変更
【訂正の内容】
【特許請求の範囲】
【請求項１】
１つ以上のエチレン系不飽和単量体を１００℃〜３５０℃の温度、および１１０ＭＰａ〜５００ＭＰａ範囲の圧力で連続的に作動される重合反応器内で重合または共重合させる方法であって、
前記重合は、前記単量体が一連の圧縮段階において、互いに１つ以上の圧縮機によって重合圧力に至る生産ラインにおいて行われ、ここで圧縮ガス混合物は、各々の圧縮段階後に圧縮段階冷却器によって冷却され、前記圧縮された単量体は、選択的に予熱器または予冷器を通過し、冷却ジャケットによって選択的に冷却される重合反応器に移送され、前記重合によって得られた反応混合物は、圧力制御バルブを介して反応器から出て、選択的に後反応器冷却器（ｐｏｓｔ  ｒｅａｃｔｏｒ  ｃｏｏｌｅｒ）によって冷却され、前記反応混合物は、ポリマ成分およびガス成分に２段階以上に分離され、１５〜５０ＭＰａの絶対圧力で第１段階において分離されたガス成分は、高圧ガス再循環ラインを介して１つ以上の圧縮機に再循環され、０．１〜０．５ＭＰａの範囲の絶対圧力で第２段階において分離されたガス成分は、低圧ガス再循環ラインを介して一連の圧縮段階の第１段階に再循環され、前記重合によって得られた反応混合物は、ペレットに変換され、
予熱器、または予冷器、重合反応器および後反応器冷却器のうち少なくとも１つは、直接または屈曲を介してともにフランジ接続された長さ５ｍ〜２５ｍの管で構成され、フランジは、煙突構造体によって覆われ、そこで空気は、煙突構造体を通って移送され、煙突構造体を出る空気は、炭化水素濃度に関してモニタリングされる、方法。
【請求項２】
前記重合反応器は、管状反応器または管状反応器を含む反応器カスケードであり、前記生産ラインは、予熱器および後反応器冷却器を含み、
前記予熱器、重合反応器および後反応器冷却器は、直接または屈曲を介してともにフランジに接続された長さ５ｍ〜２５ｍの管で構成され、前記フランジは、煙突構造体によって覆われ、空気は、煙突構造体を介して移送され、煙突構造体を出る空気は、炭化水素濃度に関してモニタリングされる、請求項１に記載の方法。
【請求項３】
前記重合反応器は、オートクレーブ反応器またはオートクレーブ反応器のカスケードであり、前記生産ラインが予冷器または後反応器冷却器、あるいは予冷器と後反応器冷却器を含み、
前記予冷器または後反応器冷却器、あるいは予冷器と後反応器冷却器は、直接または屈曲を介してともにフランジ接続された長さ５ｍ〜２５ｍの管で構成され、前記フランジは、煙突構造体によって覆われ、空気は、煙突構造体を介して移送され、煙突構造体を出る空気は、炭化水素濃度に関してモニタリングされる、請求項１に記載の方法。
【請求項４】
前記煙突構造体は、底部と上部に開口部を有し、空気が自然対流によって移送される、請求項１〜３のいずれか一項に記載の方法。
【請求項５】
煙突構造体を出る前記空気は、一つ以上のＩＲオープンパス検出器によって、またはＩＲポイント検出器によってモニタリングされる、請求項１〜４のいずれか一項に記載の方法。
【請求項６】
前記煙突構造体を出る前記空気は、多数決ロジックに従って作動するＩＲオープンパス検出器のアレイによってモニタリングされる、請求項１〜４のいずれか一項に記載の方法。
【請求項７】
緊急圧力リリースプログラムは、煙突構造体を出る前記空気中から炭化水素が検出される際に自動的に開始される、請求項１〜６のいずれか一項に記載の方法。
【請求項８】
前記生産ラインの周りで炭化水素の漏出を検出するために、更なる測定が行われる、請求項１〜７のいずれか一項に記載の方法。
【請求項９】
緊急圧力リリースプログラムは、煙突構造体を出る前記空気中から炭化水素が検出される際に、もしくは更なる測定により前記生産ラインの周りで炭化水素の漏出が検出される際に、自動的に開始される、請求項８に記載の方法。
【請求項１０】
前記生産ラインの周りで炭化水素の漏出を検出するための更なる測定は、圧縮段階冷却器、重合反応器の冷却ジャケット、後反応器冷却器または高圧ガス再循環ライン内の冷却器を冷却させる冷却媒体中の少なくとも１つを、単量体または反応混合物の冷却媒体への漏出の発生に関してモニタリングすることを含む、請求項８または９に記載の方法。
【誤訳訂正２】
【訂正対象書類名】明細書
【訂正対象項目名】００１３
【訂正方法】変更
【訂正の内容】
【００１３】
本発明は、１つ以上のエチレン系不飽和単量体を１００℃〜３５０℃の温度および１１０ＭＰａ〜５００ＭＰａ範囲の圧力で連続的に作動される重合反応器内で重合または共重合させる方法であって、
上記の重合は、上記の単量体が一連の圧縮段階において、互いに１つ以上の圧縮機によって重合圧力に至る生産ラインにおいて行われ、ここで圧縮ガス混合物は、各々の圧縮段階後に圧縮段階冷却器によって冷却され、上記の圧縮された単量体は、選択的に予熱器または予冷器を通過し、冷却ジャケットによって選択的に冷却される重合反応器に移送され、上記の重合によって得られた反応混合物は、圧力制御バルブを介して反応器から出て、選択的に後反応器冷却器（ｐｏｓｔ  ｒｅａｃｔｏｒ  ｃｏｏｌｅｒ）によって冷却され、上記の反応混合物は、ポリマ成分およびガス成分に２段階以上に分離され、１５ＭＰａ〜５０ＭＰａの絶対圧力で第１段階において分離されたガス成分は、高圧ガス再循環ラインを介して１つ以上の圧縮機に再循環され、０．１〜０．５ＭＰａ範囲の絶対圧力で第２段階において分離されたガス成分は、低圧ガス再循環ラインを介して一連の圧縮段階の第
１段階に再循環され、上記の重合によって得られた反応混合物は、ペレットに変換され、
予熱器、または予冷器、重合反応器および後反応器冷却器のうち少なくとも１つは、直接または屈曲を介してともにフランジ接続された長さ５ｍ〜２５ｍの管で構成され、フランジは、煙突構造体によって覆われ、そこで空気は、煙突構造体を通って移送され、煙突構造体を出る空気は、炭化水素濃度に関してモニタリングされる、方法を提供する。
【誤訳訂正３】
【訂正対象書類名】明細書
【訂正対象項目名】００１９
【訂正方法】変更
【訂正の内容】
【００１９】
いくつかの実施形態において、煙突構造体を出る空気は、多数決ロジックに従って作動するＩＲオープンパス検出器のアレイによってモニタリングされる。
【誤訳訂正４】
【訂正対象書類名】明細書
【訂正対象項目名】００６１
【訂正方法】変更
【訂正の内容】
【００６１】
本発明の方法は、予熱器、または予冷器、重合反応器および後反応器冷却器のうち少なくとも１つは、直接または屈曲を介してともにフランジ接続された長さ５ｍ〜２５ｍの管で構成され、フランジは、煙突構造体によって覆われ、そこで空気は、煙突構造体を通って移送され、煙突構造体を出る空気は、炭化水素濃度に関してモニタリングされることを
特徴とする。
【誤訳訂正５】
【訂正対象書類名】明細書
【訂正対象項目名】００７４
【訂正方法】変更
【訂正の内容】
【００７４】
煙突構造体を出る空気をモニタリングするためにＩＲオープンパス検出器を使用する場合、各煙突構造体には、１つの煙突構造体を出る空気のみをモニタリングするために指定された１つ以上のＩＲオープンパス検出器が装備されることが可能である。望ましくは、ＩＲオープンパス検出器は、各ＩＲオープンパス検出器が１つ以上の煙突構造体を出る空気をモニタリングするように配置される。より望ましくは、ＩＲオープンパス検出器は、ＩＲオープンパス検出器の少なくとも５０％が２つ以上の煙突構造体を出る空気をモニタリングし、煙突構造体を出る空気の各ストリームが少なくとも３つのＩＲオープンパス検出器によってモニタリングされるマトリックス配列に配置される。これは、多数決ロジックに従って１つの煙突構造体をモニタリングするＩＲオープンパス検出器を作動することを可能とする。
【誤訳訂正６】
【訂正対象書類名】明細書
【訂正対象項目名】００７５
【訂正方法】変更
【訂正の内容】
【００７５】
多数決ロジックに従ってＩＲ検出器のグループを作動することは、本発明の文脈において、炭化水素の確認された検出を有するために、ＩＲ検出器の各グループの少なくとも所定の数のＩＲ検出器は、炭化水素を検出すべきであることを意味する。望ましくは、このような所定の数は、２である。これは、２つの検出器を有するＩＲ検出器のグループの場合、両方のＩＲ検出器が炭化水素の確認された検出を有するためには炭化水素の存在を検出すべきであり；このようなグループは、結果的に２つのうち２つ（２ｏｏ２）のロジックに従って作動する。２ｏｏ２ロジックに従って作動するＩＲポイント検出器のグループの場合、ＩＲポイント検出器は２つのＩＲポイント検出器の間の距離が最大３メートルになるように、互いに近接して配置することが望ましい。３つの検出器を有するＩＲ検出器のグループの場合、これは、３つのＩＲ検知器のうち少なくとも２つが炭化水素の確認された検出を有するために炭化水素の存在を検出すべきであり；このようなグループは、結果的に３つのうち２つ（２ｏｏ３）のロジックに従って作動することを意味する。Ｎ個の検出器を有するＩＲ検出器のグループの場合、これは、Ｎ個のＩＲ検出器の少なくとも２つが炭化水素の確認された検出を有するために炭化水素の存在を検出しすべきであり；その結果、上記のグループはＮつのうち２つ（２ｏｏＮ）ロジックに従って作動することを意味する。ＩＲポイント検出器のより大きなグループの場合、３ｏｏＮ、４ｏｏＮまたはＸｏｏＮロジックに従って作動することがさらに可能である。
【誤訳訂正７】
【訂正対象書類名】明細書
【訂正対象項目名】００７８
【訂正方法】変更
【訂正の内容】
【００７８】
煙突構造体を出る空気を炭化水素濃度に関してモニタリングすることが、フランジのうちいずれかを通しての漏出の発生があってから、この空気中から炭化水素の存在を検出するために行われる。炭化水素の存在を検出することは、本発明の文脈において、測定された炭化水素の濃度が所定の閾値以上に上昇することを意味する。このような閾値は、望ましくは、下限爆発限界（ＬＥＬ）の特定比率、すなわち、発火源の存在下で火災を発生させることのできる空気中、ガスまたは蒸気の最も低い濃度であり得る。適切な閾値は、例えば、２０％ＬＥＬであり得る。すなわち、２ｏｏＮ多数決ロジックに従って作動するＩＲポイント検出器のグループの場合、ＩＲポイント検出器のグループの第２ＩＲポイント検出器が２０％ＬＥＬを超過する炭化水素濃度を測定する際に、炭化水素の検出が確認される。
【誤訳訂正８】
【訂正対象書類名】明細書
【訂正対象項目名】０１０１
【訂正方法】変更
【訂正の内容】
【０１０１】
水に対するエチレンの溶解度が極めて低いため、冷却媒体への漏出は、冷却ストリーム内に小さな気泡を形成するであろう。望ましくは、冷却媒体システムは、このような気泡が指定された領域に収集されるように設計される。例えば、水平冷却配管部には、取付部の一方の腕部が上方に向かうように導入され、気泡がこの部分に入るようにするＴ−取付部が装備される。このような領域からの冷却媒体は、望ましくは、冷却媒体、例えば、小型フラッシュカラムを通る空気の通過を可能とする装置に移送される。冷却媒体を通過する空気は、冷却媒体からエチレンを移送し、空気サンプルは、ＩＲポイント検出器に誘導される。本発明の望ましい実施形態において、冷却媒体のサンプリング、空気サンプリングおよびモニタリングは、重複して行われ、すなわち、１つ以上の冷却媒体のサンプルが取られて空気によって通過され、これらの空気サンプルの各々は、異なるＩＲポイント検出器に移送される。サンプリングが重複して行われる場合、空気サンプルをモニタリングするためのＩＲポイント検出器は、多数決ロジックに従って作動することが望ましい。